(57)【特許請求の範囲】
【請求項１】
撮影レンズとファインダとシャッタ等の撮影機構とが組み付けられた本体基部と、この本体基部に形成されたフイルム収納室に収納された写真フイルムと、この写真フイルムを光密に覆うために前記本体基部の背面に取り付けられた後カバーと、前記本体基部の前面を覆うように取り付けられた前カバーとからなるレンズ付きフイルムユニットにおいて、
前記前カバーを透明なプラスチックで一体成形し、この前カバーの少なくとも表面全体に拡散面を形成するとともに、前記撮影レンズに対面する部位に開口を形成し、対物側ファインダ窓となる部位の両面に平滑面を形成したことを特徴とするレンズ付きフイルムユニット。
【請求項２】
前記本体基部に、発光部が設けられたストロボ装置を取り付け、前記前カバーの発光部が対面する部位に、配光補正手段を設けたことを特徴とする請求項１記載のレンズ付きフイルムユニット。
【発明の詳細な説明】
【０００１】
【産業上の利用分野】
本発明はレンズ付きフイルムユニットに関し、詳しくは、前カバーを透明なプラスチックで形成したレンズ付きフイルムユニットに関するものである。
【０００２】
【従来の技術】
カメラを携帯していない場合でも手軽に写真撮影が可能なレンズ付きフイルムユニット（商品名「写ルンですフラッシュ」等）が本出願人からも提供されている。このレンズ付きフイルムユニットは、撮影レンズ，シャッタを含む簡単な撮影機構の他、ストロボ装置及びフイルム巻上げ機構などを備えたユニット本体に、国際標準規格（ＩＳＯ  １００７−１９７９年版）で規定されたパトローネ付きフイルムを内蔵させたものである。
【０００３】
レンズ付きフイルムユニットを購入したユーザは、室内や暗い所でも手軽に写真撮影を楽しむことができ、しかも撮影終了後には、撮影済みの写真フイルムを取り出すことなく、そのままユニット本体ごと現像取扱店に出せばよく、フイルム巻き戻しやパトローネの取り出しなどの面倒な操作を行う必要はない。
【０００４】
特開昭６３−１９３１４５号公報には、前カバーを透明なプラスチックで形成し、この前カバーに撮影レンズを一体に設けたレンズ付きフイルムユニットが開示されている。このレンズ付きフイルムユニットは、前カバーを通して内部機構を観察することができる。
【０００５】
【発明が解決しようとする課題】
上記透明な前カバーは、表面や端面から入射した外光が内反射してしまい、前カバー内に外光が充満することがある。この前カバー内で反射された光は、一体に設けられた撮影レンズ内にも入射するため、フレア等の撮影不良が発生することがあった。
【０００６】
本発明は、上記従来技術の欠点を解決するためになされたもので、透明な前カバーによる撮影不良の発生を防止したレンズ付きフイルムユニットを提供することを目的とする。
【０００７】
【課題を解決するための手段】
上記目的を達成するために、本発明の請求項１記載の発明では、前カバーを透明なプラスチックで一体成形し、この前カバーの少なくとも表面全体に拡散面を形成するとともに、前記撮影レンズに対面する部位に開口を形成し、対物側ファインダ窓となる部位の両面に平滑面を形成したものである。
【０００８】
請求項２記載の発明では、本体基部に、発光部が設けられたストロボ装置を取り付け、前記前カバーの発光部が対面する部位に、配光補正手段を設けたものである。
【０００９】
【実施例】
図２は、本発明のレンズ付きフイルムユニットの外観を示すものである。レンズ付きフイルムユニット２は、薄型化の向上を図ったタイプのものであり、撮影機構等が内蔵されたユニット本体３とこれを収納する外ケース４とから構成されている。外ケース４は、ユニット本体３に組み込まれた巻上げノブ５、ストロボ発光部６、シャッタボタン７等を露呈させるような輪郭となっており、また、レンズフード８、対物側ファインダ窓９及び撮影枚数表示窓１０等を露出させるための穴が設けられている。
【００１０】
ユニット本体３は、図１に分解して示したように、本体基部１２，露光ユニット１３，ストロボユニット１４，後カバー１５及び前カバー１６から構成されており、これらは爪係合によって着脱自在に取り付けられている。
【００１１】
本体基部１２は、不透明なプラスチックで形成されており、光軸１８上に遮光筒１９が設けられている。この裏側には、写真フイルムへの露光範囲を決定するアパーチャーが形成されている。遮光筒１９の両側には、パトローネを収納するパトローネ収納室２０と、写真フイルムをロール状にして収納するフイルムロール室２１とが形成されている。パトローネ収納室２０の外壁前面は、フイルムロール室２１の外壁前面よりも前方に突出した形状となっている。
【００１２】
露光ユニット１３は、不透明なプラスチックで形成されたベース部２３に、残りコマ数を表示する撮影枚数表示板２４，シャッタ羽根等からなるフイルム巻上げ機構及びシャッタ機構が組み込まれている。また、ベース部２３には撮影レンズ２５が組み込まれている。ベース部２３の上部には、接眼ファインダレンズ２６，対物ファインダレンズ２７からなるファインダ２８が組み込まれている。そして、露光ユニット１３は、本体基部１２の前面に着脱自在に取り付けられる。
【００１３】
ストロボユニット１４は、プリント基板３２と発光ユニット３３とから構成されている。プリント基板３２には、ストロボ回路を構成するコンデンサ３４等からなる電気部品と、露光ユニット１３のシャッタ機構によってオンされる発光スイッチ３５と、ストロボ装置の電源となる乾電池３６を接続するための接片３７ａ，３７ｂとが取り付けられている。また、取り付け個所は本体基部１２の溝１２ａとなるが、充電開始スイッチの接片３８は、プリント基板３２の導電面を露呈させた箇所３２ａ，３２ｂを短絡させて導通させるものである。
【００１４】
発光ユニット３３は、保持枠４０とこれに爪係合される配光補正板４１とからなる。ユニット本体３のストロボ発光部６の断面である図３に示すように保持枠４０と配光補正板４１との内部には反射傘４２と放電管４３とが保持されている。この発光ユニット３３のプリント基板３２への取付けは、爪係合により着脱自在となっている。これにより、発光ユニット３３はプリント基板３２に対して突出して取り付けられることになる。
【００１５】
後カバー１５は、不透明なプラスチックで形成されており、アパーチャーに対面する部分にフイルム支持面１５ａが形成されいる。底面側には、パトローネ収納室２０とフイルムロール室２１との底面を覆うプルトップ式の蓋１５ｂ，１５ｃとがそれぞれ設けられている。蓋１５ｂは露光済フイルムを収納したパトローネを取り出すときの取り出し蓋となる。
【００１６】
前カバー１６は、透明なプラスチックで形成されており、ストロボ発光部６，シャッタボタン７，レンズフード８，対物側ファインダ窓９，撮影枚数表示窓１０，ストロボ充電スイッチ４５，パイロットランプ窓４６等が形成されている。そして前カバー１６にはパトローネ収納室２０の突出に合わせた突出部４７が形成されており、この突出部４７は撮影時にグリップとなる。
【００１７】
ストロボ発光部６は、図３に示すように表面側が平滑面で、裏面側は一般的な梨地処理、例えば、ベアロンＢＫ−１５４処理（商品名：ＮＧＫファインモールド株式会社）によって梨地面にされた拡散面６ａとなっている。この拡散面６ａは、発光ユニット３３の前面に位置して、放電管４３からの光が反射傘４２によって反射され配光補正板４１によって配光されたストロボ光を拡散して被写体に照射できるようにするためのものである。なお、拡散面６ａを裏面側としたのは、例えば表面側に梨地処理を施すと、手の油やゴミ等の汚れが付着した際に汚れが落としにくくなり、これにより光の透過率が変化して拡散板としての機能が損なわれる恐れがあるためである。
【００１８】
対物側ファインダ窓９は露光ユニット１３に組み込まれたファインダ装置３０のために両面ともに平滑面となっている。撮影枚数表示窓１０は、同様に露光ユニット１３に組み込まれた撮影枚数表示板２４を視認できるように両面とも平滑面としている。また、パイロットランプ窓４６も同様に、ストロボユニット１４に設けられた充電確認用のパイロットランプを外部から視認できるように両面ともに平滑面としている。
【００１９】
シャッタボタン７，ストロボ充電スイッチ４５は、直接使用者の指が触れる部分なので滑り止めと外光を拡散する機能を持たせるため、表面側にベアロンＢＫ−１５４処理を施して梨地化による拡散面としている。同様に、その他の前カバーの全体を外光を拡散するため、表面にベアロンＢＫ−１８０処理（商品名：ＮＧＫファインモールド株式会社）を施して拡散面としている。この拡散面は比較的荒いものであるが、ユニット本体３の大部分は外ケース４で覆われるので充分外光を遮蔽することができる。なお、シャッタボタン７，ストロボ充電スイッチ４５，前カバー１６全体の裏面側は通常の金型面のままとしている。
【００２０】
また、レンズフード８の内部には、露光ユニット１３の撮影レンズ２５部分が位置し、外ケース４の穴から完全に外部に露呈されるため、細かい梨地面による拡散効果が必要である。そのため、レンズフード８の表面側にはベアロンＢＫ−１５８Ｇ（商品名：ＮＧＫファインモールド株式会社）、裏面側にはベアロンＢＫ−１５４処理が施されている。これにより、外光がレンズフード８から進入して写真フイルムをかぶらせる等の不具合を防ぐことができる。
【００２１】
以上説明した実施例の作用について説明する。撮影者は、予めストロボ充電スイッチ４５を押圧してストロボユニット１４に充電を行う。充電の確認は、レンズ付きフイルムユニット２の上面に設けられたパイロットランプ窓４６からユニット本体３内部のパイロットランプを視認することによって行われる。
【００２２】
撮影者は、レンズ付きフイルムユニット２を両手あるいは片手で保持して被写体に向け、シャッタボタン７を押下して撮影を行う。シャッタボタン７の押下によりシャッタレリーズが行われ、シャッタ羽根によりストロボユニット１４の発光スイッチ３５がＯＮされて放電管４３が発光する。発せられた光は、反射傘４２によって反射され、配光補正板４１によって適正に配光され、前カバー１６のストロボ発光部６の拡散面６ａによって拡散されて被写体を照射する。これにより、被写体は和らげられたストロボ光を受けるので、バウンス方式による撮影と同様にソフトで自然な感じの照明が得られる。
【００２３】
なお、上記実施例では、撮影枚数表示窓，パイロットランプ窓を両面ともに平滑面としたが、これをレンズに加工して撮影枚数表示板やパイロットランプを拡大して視認しやすくすることも可能である。また、対物ファインダレンズや撮影レンズを前カバーと一体にすることも可能であり、これにより部品点数が削減されてコストダウンが可能となる。
【００２４】
また、図４に示すようにストロボユニット１４の配光補正板４１の裏側に形成されていたものと同じ配光補正機能６ｂを前カバー１６のストロボ発光部６の裏側に設け、発光ユニット３３の配光補正板４１を削除することも本発明に含まれるものである。これにより、部品点数が削減できるのでコストダウンが可能となる。
【００２５】
【発明の効果】
上述したように、本発明のレンズ付きフイルムユニットでは、透明な前カバーの表面や端面に入射した外光を拡散面で拡散することができるので、フレア等の撮影不良が発生することはない。
【００２６】
また、ストロボユニットの配光補正板に設けられていた配光補正機能を前カバーのストロボ発光部の裏側に設けることにより配光補正板は必要なくなるので、部品点数を削減してコストダウンを図ることができる。
【図面の簡単な説明】
【図１】ユニット本体の分解斜視図である。
【図２】レンズ付きフイルムユニットの外観斜視図である。
【図３】ストロボ発光部の要部断面図である。
【図４】ストロボ発光部の別の例を示す前カバーの要部断面図である。
【符号の説明】
２  レンズ付きフイルムユニット
６  ストロボ発光部
６ａ  拡散面
１６  前カバー
４１  配光補正板
【図１】
0003558353.tif 000002
【図２】
0003558353.tif 000003
【図３】
0003558353.tif 000004
【図４】
0003558353.tif 000005